(57)【要約】【課題】ページ数の異なる複数の原稿セットのそれぞれを原稿読取部で読み取って得た複数のファイルを、１つの宛先に１回の通信で送信することが可能な複合機を提供する。【解決手段】複合機１は、原稿読取部１２と、電子メールを送信する送信部（送信処理部１３及び通信部１４）と、ユーザ操作に基づき複合機１を所定の送信モードに設定する設定部１０ａとを備える。上記送信部は、複合機１が上記所定の送信モードに設定されている場合、ページ数が個々に異なることを許容して用意された複数の原稿セットについて原稿読取部１２での読み取りが実行されることにより得た、上記複数の原稿セットのそれぞれに対応する複数のファイルを、１通の電子メールに添付して送信する。【選択図】図１
2015201710.tif 000002
【特許請求の範囲】
【請求項１】
原稿読取部と電子メールを送信する送信部とを備えた複合機であって、
ユーザ操作に基づき該複合機を所定の送信モードに設定する設定部をさらに備え、
前記送信部は、前記複合機が前記所定の送信モードに設定されている場合、ページ数が個々に異なることを許容して用意された複数の原稿セットについて前記原稿読取部での読み取りが実行されることにより得た、該複数の原稿セットのそれぞれに対応する複数のファイルを、１通の電子メールに添付して送信することを特徴とする複合機。
【請求項２】
前記複合機が前記所定の送信モードに設定されている場合、前記複数の原稿セットからなる原稿束について、ユーザ指定がなされた前記原稿セット間のページ区切りを認識する区切り認識部と、
前記原稿読取部において前記原稿束の読み取りにより取得された画像データから、前記区切り認識部で認識された前記ページ区切りに基づき前記複数の原稿セットのそれぞれに対応するように前記複数のファイルを生成するページ分割部と、
をさらに備えたことを特徴とする請求項１に記載の複合機。
【請求項３】
前記複合機が前記所定の送信モードに設定されている場合、前記原稿読取部で前記原稿束の読み取りが終了するまで、前記原稿セットの読み取り毎に次の前記原稿セットの読み取りを促すためのユーザインターフェース画像を表示する表示部をさらに備え、
前記ユーザ指定は、前記ユーザインターフェース画像に従って、前記原稿セット毎に区切って読み取り作業を行うことによる指定であることを特徴とする請求項２に記載の複合機。
【請求項４】
前記ユーザ指定は、連続する前記原稿セットで原稿用紙のサイズを変えることによる指定であり、
前記区切り認識部は、前記複合機が前記所定の送信モードに設定されている場合、前記原稿読取部で前記原稿束を連続して読み取らせて前記画像データを取得させ、前記画像データから前記サイズの違いを検出し、前記サイズの違いが生じた箇所を前記ページ区切りと認識することを特徴とする請求項２に記載の複合機。
【請求項５】
前記ユーザ指定は、連続する前記原稿セットで原稿用紙の載置方向を変えることによる指定であり、
前記区切り認識部は、前記複合機が前記所定の送信モードに設定されている場合、前記原稿読取部で前記原稿束を連続して読み取らせて前記画像データを取得させ、前記画像データから前記載置方向を検出し、前記載置方向の違いが生じた箇所を前記ページ区切りと認識することを特徴とする請求項２に記載の複合機。
【請求項６】
前記複合機が前記所定の送信モードに設定されている場合、前記原稿束に含まれる前記原稿セットのセット数と各原稿セットのページ数とをユーザに入力させるためのユーザインターフェース画像を表示する表示部をさらに備え、
前記ユーザ指定は、前記ユーザインターフェース画像を表示した状態で前記セット数と前記ページ数とを入力することによる指定であることを特徴とする請求項２に記載の複合機。
【請求項７】
前記ユーザ指定は、前記原稿セット間に別途、所定色の用紙を挟むことによる指定であり、
前記区切り認識部は、前記複合機が前記所定の送信モードに設定されている場合、前記原稿読取部で前記原稿束を連続して読み取らせて前記画像データを取得させ、前記画像データから前記所定色の用紙を検出し、前記所定色の用紙の位置を前記ページ区切りと認識することを特徴とする請求項２に記載の複合機。
【請求項８】
前記原稿読取部での読み取りにより得たファイルについて、前記送信部にて電子メールに添付して送信する送信処理を実行する日時を予約設定する予約設定部をさらに備え、
前記送信部は、前記複合機が前記所定の送信モードに設定されている場合で、前記送信処理の対象となるファイルである送信予約ファイルの宛先と同じ宛先に、前記原稿読取部での読み取りにより得た他のファイルを送信する場合、前記送信予約ファイルと前記他のファイルを前記１通の電子メールに添付して送信することを特徴とする請求項１〜７のいずれか１に記載の複合機。
【請求項９】
原稿読取部と電子メールを送信する送信部とを備えた複合機におけるファイル送信方法であって、
前記複合機の設定部が、ユーザ操作に基づき前記複合機を所定の送信モードに設定するステップと、
前記複合機が前記所定の送信モードに設定されている場合、前記送信部が、ページ数が個々に異なることを許容して用意された複数の原稿セットについて前記原稿読取部での読み取りが実行されることにより得た、該複数の原稿セットのそれぞれに対応する複数のファイルを、１通の電子メールに添付して送信するステップと、
を有することを特徴とするファイル送信方法。
【発明の詳細な説明】
【技術分野】
【０００１】
本発明は、複合機、及び複合機におけるファイル送信方法に関する。
【背景技術】
【０００２】
従来から、複合機では、スキャンした画像データをＥ−ｍａｉｌ（電子メール）で送信する処理（以下、Ｓｃａｎ  ｔｏ  Ｅ−ｍａｉｌと呼ぶ）を行う機能やインターネットファックス機能によって、電子メールの送信が可能になっているものがある。
【０００３】
このような複合機における電子メール送信処理では、複数枚の原稿を一度にスキャナにて読み取り、読み取ったデータを１つの画像ファイルにし、その１つの画像ファイルを電子メールに添付して送信している（例えば、特許文献１を参照）。この画像ファイルの形式は、ＴＩＦＦ（Tagged Image File Format）やＰＤＦ（Portable Document Format）などである。
【先行技術文献】
【特許文献】
【０００４】
【特許文献１】特開２０１１−１３５４２０号公報
【発明の概要】
【発明が解決しようとする課題】
【０００５】
しかしながら、特許文献１に記載の技術をはじめとする従来技術では、１つの宛先にページ数の異なる複数の資料（原稿セット）を送信する場合、原稿セット毎に宛先や設定内容を選び直し、複数回送信操作を行う必要がある。つまり、従来の複合機では、同じ宛先にページ数の異なる複数のファイルを送信する場合、複数送信操作を行う必要があり、手間がかかる。
【０００６】
なお、所定ページ毎にファイル化するような機能を利用すると、一度にスキャンした画像データを複数のファイルにして送信することができるが、各ファイルのページ数が固定されるため、任意のページ数をもつ複数の原稿セットの同時送信に対応することはできない。
【０００７】
本発明は、上述のような実状に鑑みてなされたものであり、その目的は、ページ数の異なる複数の原稿セットのそれぞれを原稿読取部で読み取って得た複数のファイルを、１つの宛先に１回の通信で送信することが可能な複合機、及びその複合機におけるファイル送信方法を提供することにある。
【課題を解決するための手段】
【０００８】
上記の課題を解決するために、本発明の第１の技術手段は、原稿読取部と電子メールを送信する送信部とを備えた複合機であって、ユーザ操作に基づき該複合機を所定の送信モードに設定する設定部をさらに備え、前記送信部は、前記複合機が前記所定の送信モードに設定されている場合、ページ数が個々に異なることを許容して用意された複数の原稿セットについて前記原稿読取部での読み取りが実行されることにより得た、該複数の原稿セットのそれぞれに対応する複数のファイルを、１通の電子メールに添付して送信することを特徴としたものである。
【０００９】
本発明の第２の技術手段は、第１の技術手段において、前記複合機が前記所定の送信モードに設定されている場合、前記複数の原稿セットからなる原稿束について、ユーザ指定がなされた前記原稿セット間のページ区切りを認識する区切り認識部と、前記原稿読取部において前記原稿束の読み取りにより取得された画像データから、前記区切り認識部で認識された前記ページ区切りに基づき前記複数の原稿セットのそれぞれに対応するように前記複数のファイルを生成するページ分割部と、をさらに備えたことを特徴としたものである。
【００１０】
本発明の第３の技術手段は、第２の技術手段において、前記複合機が前記所定の送信モードに設定されている場合、前記原稿読取部で前記原稿束の読み取りが終了するまで、前記原稿セットの読み取り毎に次の前記原稿セットの読み取りを促すためのユーザインターフェース画像を表示する表示部をさらに備え、前記ユーザ指定は、前記ユーザインターフェース画像に従って、前記原稿セット毎に区切って読み取り作業を行うことによる指定であることを特徴としたものである。
【００１１】
本発明の第４の技術手段は、第２の技術手段において、前記ユーザ指定は、連続する前記原稿セットで原稿用紙のサイズを変えることによる指定であり、前記区切り認識部は、前記複合機が前記所定の送信モードに設定されている場合、前記原稿読取部で前記原稿束を連続して読み取らせて前記画像データを取得させ、前記画像データから前記サイズの違いを検出し、前記サイズの違いが生じた箇所を前記ページ区切りと認識することを特徴としたものである。
【００１２】
本発明の第５の技術手段は、第２の技術手段において、前記ユーザ指定は、連続する前記原稿セットで原稿用紙の載置方向を変えることによる指定であり、前記区切り認識部は、前記複合機が前記所定の送信モードに設定されている場合、前記原稿読取部で前記原稿束を連続して読み取らせて前記画像データを取得させ、前記画像データから前記載置方向を検出し、前記載置方向の違いが生じた箇所を前記ページ区切りと認識することを特徴としたものである。
【００１３】
本発明の第６の技術手段は、第２の技術手段において、前記複合機が前記所定の送信モードに設定されている場合、前記原稿束に含まれる前記原稿セットのセット数と各原稿セットのページ数とをユーザに入力させるためのユーザインターフェース画像を表示する表示部をさらに備え、前記ユーザ指定は、前記ユーザインターフェース画像を表示した状態で前記セット数と前記ページ数とを入力することによる指定であることを特徴としたものである。
【００１４】
本発明の第７の技術手段は、第２の技術手段において、前記ユーザ指定は、前記原稿セット間に別途、所定色の用紙を挟むことによる指定であり、前記区切り認識部は、前記複合機が前記所定の送信モードに設定されている場合、前記原稿読取部で前記原稿束を連続して読み取らせて前記画像データを取得させ、前記画像データから前記所定色の用紙を検出し、前記所定色の用紙の位置を前記ページ区切りと認識することを特徴としたものである。
【００１５】
本発明の第８の技術手段は、第１〜第７のいずれか１の技術手段において、前記原稿読取部での読み取りにより得たファイルについて、前記送信部にて電子メールに添付して送信する送信処理を実行する日時を予約設定する予約設定部をさらに備え、前記送信部は、前記複合機が前記所定の送信モードに設定されている場合で、前記送信処理の対象となるファイルである送信予約ファイルの宛先と同じ宛先に、前記原稿読取部での読み取りにより得た他のファイルを送信する場合、前記送信予約ファイルと前記他のファイルを前記１通の電子メールに添付して送信することを特徴としたものである。
【００１６】
本発明の第９の技術手段は、原稿読取部と電子メールを送信する送信部とを備えた複合機におけるファイル送信方法であって、前記複合機の設定部が、ユーザ操作に基づき前記複合機を所定の送信モードに設定するステップと、前記複合機が前記所定の送信モードに設定されている場合、前記送信部が、ページ数が個々に異なることを許容して用意された複数の原稿セットについて前記原稿読取部での読み取りが実行されることにより得た、該複数の原稿セットのそれぞれに対応する複数のファイルを、１通の電子メールに添付して送信するステップと、を有することを特徴としたものである。
【発明の効果】
【００１７】
本発明によれば、複合機において、ページ数の異なる複数の原稿セットのそれぞれを原稿読取部で読み取って得た複数のファイルを、１つの宛先に１回の通信で送信することが可能になる。
【図面の簡単な説明】
【００１８】
【図１】本発明の第１の実施形態に係る複合機の一構成例を示すブロック図である。
【図２】図１の複合機における操作部の一例を示す外観図である。
【図３】本発明の第２の実施形態に係る複合機の一構成例を示すブロック図である。
【図４】図３の複合機においてＳｃａｎ  ｔｏ  Ｅ−ｍａｉｌ機能で実行される第１の処理例を説明するためのフロー図である。
【図５Ａ】図４に続くフロー図である。
【図５Ｂ】図５Ａに続くフロー図である。
【図６Ａ】図３の複合機において図２のＵＩ画像からＥ−ｍａｉｌ機能が選択された場合に表示されるＵＩ画像の一例を示す図である。
【図６Ｂ】図６ＡのＵＩ画像において他の機能が選択された場合に表示されるＵＩ画像の一例を示す図である。
【図７Ａ】図５ＡのＡＤＦからの原稿読取処理において表示されるＵＩ画像の一例を示す図である。
【図７Ｂ】図５Ｂの原稿台からの原稿読取処理において表示されるＵＩ画像の一例を示す図である。
【図８】図４に続く第２の処理例のフロー図である。
【図９Ａ】図４に続く第３の処理例のフロー図である。
【図９Ｂ】図９Ａに続くフロー図である。
【図１０Ａ】図３の複合機においてＳｃａｎ  ｔｏ  Ｅ−ｍａｉｌ機能で実行される第４の処理例を説明するためのフロー図である。
【図１０Ｂ】図１０Ａに続くフロー図である。
【図１０Ｃ】図１０Ｂに続くフロー図である。
【図１１Ａ】図６ＢのＵＩ画像において複数ファイル送信キーが選択された場合に表示させるＵＩ画像の一例を示す図である。
【図１１Ｂ】図１１Ａとは異なる入力例を示す図である。
【図１２】図４に続く第５の処理例のフロー図である。
【図１３】本発明の第３の実施形態に係るＭＦＰの一構成例を示すブロック図である。
【図１４】図１３の複合機においてインターネットＦＡＸ機能で実行される処理例を説明するためのフロー図である。
【図１５】図１３の複合機において図１４の処理で表示されるＵＩ画像の一例を示す図である。
【発明を実施するための形態】
【００１９】
本発明に係る複合機は、少なくとも原稿読取機能（スキャナ機能）と電子メール送信機能を搭載した機器であり、読み取った画像のファイルを送信することから画像送信装置であると言える。電子メール送信機能は、インターネットファクシミリ（インターネットＦＡＸ）機能やＳｃａｎ  ｔｏ  Ｅ−ｍａｉｌ機能に含まれる。本発明に係る複合機には、その他、例えばコピー機能、プリンタ機能、ファクシミリ機能などを搭載することもできる。以下、本発明に係る複合機の様々な実施形態について、図面を参照しながら説明する。
【００２０】
＜第１の実施形態＞
図１を参照しながら、本発明の第１の実施形態について説明する。図１は、本実施形態に係る複合機（ＭＦＰ）の一構成例を示すブロック図で、図２は、図１のＭＦＰにおける操作部の一例を示す外観図である。
【００２１】
本実施形態に係るＭＦＰ１は、原稿の画像を光学的に読み取る原稿読取部１２と、ファイルを添付して電子メールを送信する送信部（メール送信部）と、を備えている。その他、ＭＦＰ１は、ＭＦＰ１の全体を制御する制御部１０と、ユーザからの操作入力を受け付ける操作部１１と、を備えている。
【００２２】
原稿読取部１２は、読取対象となる原稿（用紙）を載置する原稿台の下面に設けられ、原稿台に載置された用紙上の原稿画像を光学的に読み取る部位であり、スキャナ部とも呼ばれる。また、ＭＦＰ１には、原稿台の上にＡＤＦ（Auto Document Feeder）を設けることもできる。ＡＤＦは、原稿を自動搬送するための装置であり、自動搬送された原稿の画像が原稿読取部１２で読み取られることになる。無論、ＡＤＦに別途原稿読取部１２を設けておいてもよい。ここで、ＡＤＦとしては、ＳＰＦ（Single Pass Feeder）やＲＳＰＦ（Reversing Single Pass Feeder）などと呼ばれる装置も含まれるものとする。
【００２３】
上記送信部は、送信処理部１３と通信部１４で例示している。通信部１４は、例えばＬＡＮ（Local Area Network）と接続され、インターネット経由による電子メールデータの通信及びインターネットＦＡＸの通信を行う通信インターフェースである。インターネットＦＡＸは、送受信内容を示すファイルを電子メールに添付して送受信するものである。送信処理部１３は、送信対象の電子メールを作成し、通信部１４を介して送信処理する部位である。
【００２４】
制御部１０は、プログラム保存領域にＭＦＰ１の全体を制御するための制御プログラム（ファームウェア）を格納し、その制御プログラムを動作させることで各種制御を行う。例えば制御部１０は、ＣＰＵ（Central Processing Unit）又はＭＰＵ（Micro Processing Unit）、作業領域としてのＲＡＭ（Random Access Memory）、及び上記制御プログラムや各種設定内容を記憶した記憶装置などの制御デバイスで構成することができ、集積回路／ＩＣ（Integrated Circuit）チップセットとして搭載することもできる。この記憶装置としては、フラッシュＲＯＭ（Read Only Memory）、ＥＥＰＲＯＭ（Electrically Erasable and Programmable  ＲＯＭ）、ＨＤＤ（Hard Disk Drive）等が挙げられ、画像を保存するためのＨＤＤ等の記憶部（図示せず）を利用することもできる。
【００２５】
操作部１１は、図２で例示するようにキー操作部１１ａ及びタッチパネル部１１ｂを有する。ユーザは、操作部１１から、ＭＦＰ１を使用する際に設定値等を入力したり、処理を実行させたりすることが可能となっている。
【００２６】
キー操作部１１ａは、ユーザ操作を受け付けるためのハードウェアキーであり、図２では、電源キー、節電キー、及びホーム画面への移行キー（ホーム移行キー）１１ｃを設けた例を挙げているが、これに限らず、コピー開始のためのスタートキーや数字を入力するための数字キー群など他のキーを設けてもよい。
【００２７】
タッチパネル部１１ｂは、液晶ディスプレイや有機エレクトロルミネッセンスディスプレイ等の表示部と、ユーザによるその表示部の表示領域上でのタッチ操作を検出するタッチセンサ部とで構成される。タッチセンサ部として設けるセンサとしては、例えば静電容量方式のセンサや抵抗膜方式のセンサなどが挙げられる。
【００２８】
この表示部にはＵＩ（User Interface）画像が表示され、表示されたＵＩ画像に対してタッチセンサ部でタッチが検出された場合、そのタッチ位置に対応するＵＩ画像内の画像が示す処理が実行されると共に、必要に応じてＵＩ画像の遷移がなされる。初期画面に表示させるＵＩ画像としては、例えば図２で示すＵＩ画像２０が挙げられる。
【００２９】
ＵＩ画像２０は、コピー機能選択キー（コピーモード選択キー）２１、Ｅ−ｍａｉｌ機能選択キー２２、ＦＡＸ機能選択キー２３、インターネットＦＡＸ機能選択キー２４など、ＭＦＰ１に設けられた機能を使用するためのキーがユーザ選択可能に表示されている。なお、例えばホーム移行キー１１ｃのように、ハードウェアキーの押下操作によってもＵＩ画像の遷移などが可能に構成することができる。また、コピーモード選択キー２１、ＦＡＸ機能選択キー２３で選択された機能を利用するためには、ＭＦＰ１にそれぞれ、図示しない印刷部、電話回線等を介してＦＡＸ画像を送受するＦＡＸ通信部を備えておけばよい。
【００３０】
ＭＦＰ１は、さらに、ユーザ操作に基づきＭＦＰ１を所定の送信モードに設定する設定部１０ａを備えている。上記所定の送信モードとは、後述する処理内容を実行するモードを指す。図１では、設定部１０ａは制御部１０内に設け、操作部１１からのユーザ操作を入力し、設定を実行する例を挙げている。無論、設定部１０ａは制御部１０外に設けてもよい。
【００３１】
送信処理部１３は、ＭＦＰ１が上記所定の送信モードに設定されている場合、ページ数が個々に異なることを許容して用意された複数の原稿セットについて原稿読取部１２での読み取りが実行されることにより得た、上記複数の原稿セットのそれぞれに対応する複数のファイルを生成する。ファイルは、例えばＰＤＦやＴＩＦＦ形式などで生成すればよい。後述の実施形態で説明するように、上記複数の原稿セットは一度に読み取らせる原稿束であっても、そうでなくてもよい。
【００３２】
そして、送信処理部１３は、これらの複数のファイルを１通の電子メールに添付し、通信部１４を介してその電子メールの宛先に送信する。なお、宛先は、操作部１１で送信前に受け付けておけばよい。
【００３３】
換言すれば、上記所定の送信モードは、複数の原稿セット（各原稿セットのページ数は異なっていてもよい）が存在し、複数の原稿セットのそれぞれに対応する複数のファイルを１通の電子メールで送信するモード（以下、複数ファイル送信モードと呼ぶ）を指す。また、複数ファイル送信モードは、原稿束を複数回に分けて読み込ませ、分けたまま１つの電子メールで送信するモードであるとも言える。例えば、Ｅ−ｍａｉｌ機能選択キー２２が選択された後のＵＩ画像や、インターネットＦＡＸ機能選択キー２４が選択された後のＵＩ画像に、複数ファイル送信モードを選択するためのキーを表示させておけば、ユーザによる複数ファイル送信モードの選択は可能となる。
【００３４】
上述のような処理により、本実施形態に係るＭＦＰ１は、ページ数の異なる複数の原稿セット（或いはページ数の同じ複数の原稿セット）のそれぞれをスキャンして得た複数のファイルを、１つの宛先に１回の通信で送信することができる。よって、このような複数ファイル添付のインターネットＦＡＸ通信をＰＣ（Personal Computer）等の情報処理装置で受けた受信者は、接続されたプリンタにてファイル毎に印刷を実行すること、つまり所謂「章分け」印刷を実行することが可能となる。無論、ＦＡＸ装置でこのインターネットＦＡＸ通信を受けた受信者は、通常通り、複数の原稿セットが連なった原稿束が印刷されることになる。また、このような複数ファイル添付のＥ−ｍａｉｌ送信をＰＣ等の情報処理装置で受けた受信者も、同様にファイル毎に印刷を実行することが可能となる。
【００３５】
＜第２の実施形態＞
本発明の第２の実施形態について、図３を参照しながら説明する。図３は、本実施形態に係るＭＦＰの一構成例を示すブロック図である。本実施形態に係るＭＦＰは、第１の実施形態において、添付対象となる複数のファイルのそれぞれに対応する複数の原稿セットが、いずれも同時期に原稿読取部１２で読み取られたものである点に特化したものである。以下、本実施形態について説明するが、第１の実施形態と同様の点についてはその説明を省略する。
【００３６】
図３で例示するように、本実施形態に係るＭＦＰ１ａは、図１のＭＦＰ１における送信処理部１３が区切り認識部１３ａ及びページ分割部１３ｂを有している。区切り認識部１３ａは、ＭＦＰ１ａが複数ファイル送信モードに設定されている場合、原稿読取部１２で読み取り対象となる複数の原稿セットからなる原稿束について、ユーザ指定がなされた原稿セット間のページ区切りを認識する。なお、ページ区切りは１箇所に限らず、２箇所以上存在してもよい。
【００３７】
上記ユーザ指定は、第１の実施形態で説明したように、各原稿セットでページ数が異なることを許容して受け付けることができる。つまり、区切り認識部１３ａは、ページ区切りとして、前後で異なるページ数となるようなページ区切りが認識可能となっており、そのようなページ区切りを認識する能力をもつと言える。
【００３８】
ページ分割部１３ｂは、区切り認識部１３ａで認識されたページ区切りに基づき、原稿読取部１２で原稿束の読み取りにより取得した画像データから、上記複数の原稿セットのそれぞれに対応するように上記複数のファイルを生成する。そして、送信処理部１３は、ページ分割部１３ｂで生成された複数のファイルを１通の電子メールに添付して、通信部１４を介して送信する。
【００３９】
上述のような処理により、本実施形態に係るＭＦＰ１ａは、ページ数の異なる複数の原稿セット（或いはページ数の同じ複数の原稿セット）からなる原稿束について、それぞれの原稿セットを同時期にスキャンして得た複数のファイルを、１つの宛先に１回の通信で送信することができる。
【００４０】
以下、本実施形態で適用可能な様々な処理例を、Ｓｃａｎ  ｔｏ  Ｅ−ｍａｉｌ機能を使用した場合とインターネットＦＡＸ機能を使用した場合とについて説明する。
【００４１】
＜＜第１の処理例＞＞
本実施形態に係るＭＦＰ１ａにおける第１の処理例について説明する。本処理例では、添付対象となる複数のファイルのそれぞれ対応する複数の原稿セットでなる原稿束が、一度ではなく複数回（原稿セット数）に分けて原稿読取部１２で読み取られるものとする。
【００４２】
本処理例におけるＭＦＰ１ａは、ＭＦＰ１ａが複数ファイル送信モードに設定されている場合、原稿読取部１２で原稿束の読み取りが終了するまで、原稿セットの読み取り毎に次の原稿セットの読み取りを促すためのＵＩ画像（便宜上、第１ＵＩ画像と呼ぶ）を表示する表示部を備える。この表示部は、タッチパネル部１１ｂにおける表示部で例示できる。そして、本処理例における上記ユーザ指定は、第１ＵＩ画像に従って、原稿セット毎に区切って読み取り作業を行うことによる指定であり、区切り認識部１３ａはそのユーザ指定された区切りを認識する。
【００４３】
本処理例を、Ｓｃａｎ  ｔｏ  Ｅ−ｍａｉｌ機能を使用した場合について、図４〜図７Ｂを併せて参照しながら説明する。図４は図３のＭＦＰにおいてＳｃａｎ  ｔｏ  Ｅ−ｍａｉｌ機能で実行される第１の処理例を説明するためのフロー図、図５Ａは図４に続くフロー図、図５Ｂは図５Ａに続くフロー図である。また、図６Ａは、図３のＭＦＰにおいて図２のＵＩ画像からＥ−ｍａｉｌ機能が選択された場合に表示されるＵＩ画像の一例を示す図で、図６Ｂは、図６ＡのＵＩ画像において他の機能が選択された場合に表示されるＵＩ画像の一例を示す図である。また、図７Ａは、図５ＡのＡＤＦからの原稿読取処理において表示されるＵＩ画像の一例を示す図で、図７Ｂは、図５Ｂの原稿台からの原稿読取処理いおいて表示されるＵＩ画像の一例を示す図である。
【００４４】
なお、本処理例を含め他の処理例において説明を省略する場合にも、ユーザ操作はキー操作部１１ａ又はタッチパネル部１１ｂからなされ、ＵＩ画像は制御部１０からの制御によりタッチパネル部１１ｂに表示される。
【００４５】
まず、図２のＵＩ画像２０においてＥ−ｍａｉｌ機能選択キー２２がユーザによって選択された場合、図６Ａで例示するＵＩ画像６０が表示される。ＵＩ画像６０には、アドレス帳を表示させて宛先を選択させるためのアドレス帳キー６１、ソフトウェアキーボードを表示させ宛先を直接入力するための宛先入力欄６２、他の機能キー６３、スタートキー６４、リセットキー６５、及び機能変更プルダウンメニュー６６などが表示されている。
【００４６】
このうち、他の機能キー６３がユーザによって選択された場合、図６Ｂで例示するＵＩ画像６７が、ＵＩ画像６０の代わりに或いはＵＩ画像６０に重ねて表示される。ＵＩ画像６７には、他の機能の一覧が表示されており、その中には複数ファイル送信キー６８も含まれている。
【００４７】
複数ファイル送信キー６８がユーザによって選択された場合、設定部１０ａがＭＦＰ１ａを複数ファイル送信モードに設定し、ＵＩ画像６０が再表示される。このような設定後、Ｓｃａｎ  ｔｏ  Ｅｍａｉｌの処理は、図４から始まる手順で実行される。
【００４８】
まず、制御部１０は、Ｓｃａｎ  ｔｏ  Ｅ−ｍａｉｌ機能であるか否かを判定する（ステップＳ１）。ステップＳ１でＮＯである場合、制御部１０は、その他の機能であるか否かを判定する（ステップＳ４）。ステップＳ４では、機能変更プルダウンメニュー６６によりＳｃａｎ  ｔｏ  Ｅｍａｉｌ機能（単にＥ−ｍａｉｌ機能とも呼ぶ）以外の機能に設定されたか、或いは、ホーム移行キー１１ｃが選択されてどの機能も選択されていない状態になったかを判定する。制御部１０は、ステップＳ４でＹＥＳであればその機能を実行して（ステップＳ５）、ステップＳ１に戻り、ステップＳ４でＮＯであればそのままステップＳ１に戻り、Ｅ−ｍａｉｌ機能の選択を待つ。
【００４９】
ステップＳ１でＹＥＳの場合、制御部１０は、宛先が設定されたか否かを判定し（ステップＳ２）、ＮＯの場合、キャンセルキー（リセットキー６５又はホーム移行キー１１ｃ）が選択されたか否かを判定する（ステップＳ６）。制御部１０は、ステップＳ６でＮＯの場合、ステップＳ２に戻り、ステップＳ６でＹＥＳの場合、Ｅ−ｍａｉｌ機能を解除し（ステップＳ７）、ステップＳ１に戻る。
【００５０】
ステップＳ２でＹＥＳの場合、制御部１０は、スタートキー６４が選択されたか否かを判定し（ステップＳ３）、ＮＯであれば、キャンセルキー（リセットキー６５）が選択されたか否かを判定する（ステップＳ８）。制御部１０は、ステップＳ８でＮＯの場合、ステップＳ３に戻ってスタートキー６４の押下を待ち、ステップＳ８でＹＥＳの場合、宛先設定をクリアし（ステップＳ９）、ステップＳ２に戻る。
【００５１】
ステップＳ３でＹＥＳの場合、図５Ａ及び図５Ｂの処理が実行される。まず、制御部１０は、ＡＤＦに原稿があるか否かを図示しない原稿検知センサからの検知結果に基づき判定し（ステップＳ１１）、ＹＥＳの場合、ＡＤＦで原稿を自動的に搬送しながら、原稿読取部１２に原稿読取処理を実行させる（ステップＳ１２）。原稿読取部１２は、上記原稿検知センサからの検知結果に基づき、読み取りが全て終了したか、つまりＡＤＦに原稿が無くなったか否かを判定し（ステップＳ１３）、ＹＥＳとなるまでステップＳ１２の原稿読取処理を継続する。これにより、ユーザがＡＤＦに載置した１つの原稿セットの読み取りが完了する。
【００５２】
ステップＳ１３でＹＥＳとなった場合、区切り認識部１３ａが現在の原稿セットの読み込みが終了したと判定する。そして、ページ分割部１３ｂが、原稿読取部１２で読み取られた画像データからその１つの原稿セットに対応する画像データを分割（抽出）してＰＤＦファイル等の１つのファイルを生成（作成）し（ステップＳ１４）、そのファイルを記憶する（ステップＳ１５）。なお、原稿読取部１２で読み取られた画像データは、逐次、送信処理部１３内に設けられた（或いは別途設けられた）バッファに蓄積される。また、ファイル化されたものは、同じく送信処理部１３内に設けられた（或いは別途設けられた）保存領域に記憶されるものとする。
【００５３】
ステップＳ１５の後、図７ＡのＵＩ画像７０が表示される（ステップＳ１６）。ＵＩ画像７０には、次の原稿セットを載置してスタートキー６４を押下するようにユーザに促すメッセージと共に、原稿読取処理を終了させる場合に選択する読み込み終了キー７１が表示されている。制御部１０は、読み取り終了キー７１が選択されたか否かを判定し（ステップＳ１７）、ステップＳ１７でＮＯの場合にはスタートキー６４が選択された否かを判定し（ステップＳ２１）、ここでＮＯの場合にはステップＳ１７に戻り、選択を待つ。
【００５４】
ステップＳ２１でＹＥＳの場合、ユーザがＡＤＦに次の原稿セットを載置してスタートキー６４を押したことになり、制御部１０は、ステップＳ１２に戻り、その原稿セットについて同様の原稿読取処理を実行する。
【００５５】
ステップＳ１７でＹＥＳの場合には、送信処理部１３が、ステップＳ２で設定された宛先の電子メールを１通作成し（ステップＳ１８）、その電子メールにその時点で記憶された全てのファイルを添付し（ステップＳ１９）、通信部１４を介してその電子メールの送信を行い（ステップＳ２０）、処理を終了する。Ｅ−ｍａｉｌ機能では、電子メールの本文も入力可能としておけばよいため、ステップＳ１８の処理より前に本文の入力を受け付けてもよい。なお、ステップＳ１９では、ステップＳ２１及び後述のステップＳ２６で１度もＹＥＳとなった場合を経なければ、複数ファイル送信モードであっても１つのファイルのみを添付して送信することになる。
【００５６】
ステップＳ１１でＮＯの場合、原稿が原稿台に載置されていることになるため、図５Ｂで示すような原稿台での原稿読取処理が実行される。なお、原稿台にも載置されていない場合には原稿の載置を促すメッセージを表示させればよい。
【００５７】
まず、制御部１０が、原稿読取部１２に原稿台からの原稿読取処理を実行させる（ステップＳ２２）。次いで、図７ＢのＵＩ画像７２が表示される（ステップＳ２３）。ＵＩ画像７２には、次の原稿を載置してスタートキー６４を押下するようにユーザに促すメッセージと共に、原稿読取処理を終了させる場合に選択する読み込み終了キー７１と、次のファイルとして原稿を読み込む場合に選択する次のファイルの読み込みキー（次ファイルキーと呼ぶ）７３が表示されている。
【００５８】
制御部１０は、読み取り終了キー７１が選択されたか否かを判定し（ステップＳ２４）、ステップＳ２４でＮＯの場合には次ファイルキー７３が選択されたか否かを判定し（ステップＳ２６）、ステップＳ２６でＮＯの場合にはスタートキー６４が選択された否かを判定する（ステップＳ２８）。
【００５９】
ステップＳ２８でＹＥＳの場合には、ユーザが原稿台に次の原稿を載置してスタートキー６４を押したことになり、制御部１０は、ステップＳ２２に戻り、その原稿について同様の原稿読取処理を実行する。ユーザはこのようにして１つの原稿セットに含まれる原稿について原稿台への載置とスタートキー６４の押下を繰り返して、１つの原稿セットの読み取りを実行する。ステップＳ２８でＮＯの場合には、ステップＳ２４に戻る。
【００６０】
ステップＳ２６でＹＥＳの場合には、区切り認識部１３ａが現在の原稿セットの読み込みが終了したと判定する。そして、ページ分割部１３ｂが、原稿読取部１２で読み取られた画像データからその１つの原稿セットに対応する画像データを分割して１つのファイル（ＰＤＦファイル等）を作成し、記憶する（ステップＳ２７）。ステップＳ２７の後はステップＳ２２に戻り、次の原稿セットの読み取りを実行する。
【００６１】
また、ステップＳ２４でＹＥＳの場合にも、ページ分割部１３ｂが、原稿読取部１２で読み取られた画像データからその１つの原稿セットに対応する画像データを分割して（残りの画像データを抽出し）、１つのファイル（ＰＤＦファイル等）を作成し、記憶する（ステップＳ２５）。
【００６２】
そして、ステップＳ２５の後は、ステップＳ１８に進み、それまでに記憶された全ファイルを１通の電子メールに添付し、その電子メールが送信される。このように、原稿台からの読取処理については、次ファイルキー７３が押下されるまで、その原稿セットの原稿読取処理が実行され、次ファイルキー７３が押下された段階でファイル化後、次の原稿セットの読み取り及びファイル化の処理が実行される。そして、読み取り終了キー７１が押下されるまで、原稿セットの読み取り及びファイル化の処理が、実行されることになる。
【００６３】
上述したように、本処理例では、原稿セット毎にＵＩ画像７０やＵＩ画像７２のような問合せを行いながら、原稿束を複数回に分けて（原稿セット毎に）読み込みが実行され、最後に全ファイルが添付された１通の電子メールが送信される。例えば内容の異なる３部（３セット）の原稿セットを送信したい場合には、３つのファイルが生成され、１通の電子メールに添付されて送信されることになる。
【００６４】
なお、ファイル名や電子メールの件名について言及していないが、ファイル名は、例えばＵＩ画像６０のファイル名入力欄から入力されたファイル名について、複数の原稿セットが存在する場合には順番に対応するファイルに枝番を付せばよい。ファイル名の入力もない場合には任意に連番のファイル名を付し、複数ファイルが存在する場合にはそれに枝番を付せばよい。また、電子メールの件名は、例えばＵＩ画像６０の件名入力欄から入力されたものを用いればよく、件名の入力がない場合には件名なしか任意に連番の件名を付すなどすればよい。ファイル名や電子メールの件名については、後述する他の処理例においても同様である。また、本処理例に限らず、後述の処理例においてもインターネットＦＡＸ機能を使用した場合についての説明は省略するが、基本的に同様の考え方で説明できる。
【００６５】
＜＜第２の処理例＞＞
本実施形態に係るＭＦＰ１ａにおける第２の処理例について説明する。本処理例では、添付対象となる複数のファイルのそれぞれに対応する複数の原稿セットでなる原稿束が、基本的に一度に原稿読取部１２で読み取られたものであり、且つ原稿用紙のサイズを異ならせている点に特徴がある。以下、本処理例について説明するが、第１の処理例と同様の点についてはその説明を省略する。
【００６６】
本処理例では、上記ユーザ指定は、連続する原稿セットで原稿用紙のサイズを変えることによる指定である。そして、区切り認識部１３ａは、ＭＦＰ１ａが複数ファイル送信モードに設定されている場合、原稿読取部１２で原稿束を連続して読み取らせて画像データを取得させ、その画像データからサイズの違いを検出し、サイズの違いが生じた箇所をページ区切りと認識する。ページ分割部１３ｂは、区切り認識部１３ａで認識されたページ区切りに基づき、原稿読取部１２で原稿束の読み取りにより取得した画像データを分割して、原稿束に含まれる複数の原稿セットのそれぞれに対応するように複数のファイルを生成する。
【００６７】
本処理例を、Ｓｃａｎ  ｔｏ  Ｅ−ｍａｉｌ機能を使用した場合について、図８を併せて参照しながら説明する。図８は図４に続く本処理例のフロー図である。本処理例では、図４においてステップＳ３でＹＥＳの場合、図８の処理が実行される。
【００６８】
まず、制御部１０は、ＡＤＦに原稿があるか否かを図示しない原稿検知センサからの検知結果に基づき判定し（ステップＳ３１）、ＹＥＳの場合、その原稿用紙のサイズも検出する（ステップＳ３２）。ステップＳ３２は複数の原稿検知センサを適所に配置しておけば実現できる。次いで、制御部１０は、ＡＤＦで原稿を自動的に搬送しながら、原稿読取部１２に原稿読取処理を実行させる（ステップＳ３３）。
【００６９】
次いで、区切り認識部１３ａが１枚目の原稿であるか否かを判定し（ステップＳ３４）、ＹＥＳの場合、ステップＳ３８に進む。なお、この例では原稿用紙の片面のみが読取対象である例を挙げるが、両面が対象である場合には上記判定は１ページ目か否かの判定とすればよい。本処理例に限らず他の処理例においても基本的に片面のみを前提として説明しているが、両面の場合には「枚」を「ページ」で置き換えれば説明できる。
【００７０】
ステップＳ３８では、原稿読取部１２が、原稿検知センサからの検知結果に基づき、読み取りが全て終了したか否かを判定する。ステップＳ３８でＮＯの場合、ステップＳ３２に戻る。ステップＳ３４でＮＯの場合、区切り認識部１３ａが、サイズ変更がなされたか否かをステップＳ３２での検知結果に基づき判定し（ステップＳ３５）、ＮＯの場合にはステップＳ３８へ進む。
【００７１】
ステップＳ３５でＹＥＳの場合には、区切り認識部１３ａが現在の原稿セットの読み込みが終了したと判定する。そして、ページ分割部１３ｂが、１枚前までの未ファイル化原稿セットの画像データから１つのファイル（ＰＤＦ等）を作成し（ステップＳ３６）、記憶する（ステップＳ３７）。ステップＳ３７の後は、ステップＳ３８に進む。ステップＳ３８でＹＥＳの場合、ページ分割部１３ｂがその時点で未ファイル化の画像データから１つのファイルを作成し（ステップＳ３９）、記憶する（ステップＳ４０）。
【００７２】
次いで、送信処理部１３が、ステップＳ２で設定された宛先の電子メールを１通作成し（ステップＳ４１）、その電子メールに記憶された全てのファイルを添付し（ステップＳ４２）、通信部１４を介してその電子メールの送信を行い（ステップＳ４３）、処理を終了する。なお、ステップＳ４２では、ステップＳ３５及び後述のステップＳ４７で１度もＹＥＳとなった場合を経なければ、複数ファイル送信モードであっても１つのファイルのみを添付して送信することになる。
【００７３】
なお、ステップＳ３８でＹＥＳの場合の直後に、図７ＡのＵＩ画像７０のような、読み取り終了か否か（次の原稿セットの読み込みを行う）を確認するためのＵＩ画像を表示させるようにしておけば、第１の処理例でのように複数回に分けてＡＤＦで読み取らせることができる。その場合、スタートキー６４の押下毎に１度で読み取らせる対象は、サイズ変更を伴う原稿セット群であっても、サイズ変更を伴わない１つの原稿セットであってもよい。
【００７４】
ステップＳ３１でＮＯの場合、原稿が原稿台に載置されていることになるため、制御部１０は、原稿台上の原稿用紙のサイズを検出する（ステップＳ４４）。次いで、制御部１０は、原稿台上の原稿を原稿読取部１２に読み取らせる（ステップＳ４５）。次いで、区切り認識部１３ａが１枚目の原稿であるか否かを判定する（ステップＳ４６）。
【００７５】
ステップＳ４７でＹＥＳの場合には、区切り認識部１３ａが現在の原稿セットの読み込みが終了したと判定し、ページ分割部１３ｂが、ステップＳ３６，Ｓ３７と同様に１枚前までの未ファイル化原稿セットから１つのファイルを作成し、記憶する（ステップＳ４８，Ｓ４９）。
【００７６】
ステップＳ４６でＹＥＳの場合、ステップＳ４７でＮＯの場合、並びにステップＳ４９の後は、図７ＡのＵＩ画像７０を表示させる（ステップＳ５０）。制御部１０は、読み取り終了キー７１が選択されたか否かを判定し（ステップＳ５１）、ＮＯの場合にはスタートキー６４が選択された否かを判定する（ステップＳ５２）。ステップＳ５２でＮＯの場合には、ステップＳ５１に戻る。なお、本処理例では一度の読み取りを前提としており、原稿台からの読み取りについては、読み取り終了キー７１の選択までの一連の読み取りを一度の読み取りと見做して説明している。
【００７７】
ステップＳ５２でＹＥＳの場合には、ユーザが原稿台に次の原稿を載置してスタートキー６４を押したことになり、制御部１０は、ステップＳ４４に戻り、その原稿について同様のサイズ検出及び原稿読取処理を実行する。ステップＳ５１でＹＥＳの場合、全原稿セットからなる原稿束の読み取りが終了しているため、ステップＳ３９に進み、最後にサイズ変更された後の原稿セットである未ファイル化原稿セットから１つのファイルを作成する。
【００７８】
このように、原稿台からの読取処理については、サイズ変更が検出されるまで、その原稿セットの原稿読取処理がスタートキー６４の押下により継続され、サイズ変更がなされた段階でファイル化後、次の原稿セットの読み取り及びファイル化の処理が実行される。そして、読み取り終了キー７１が押下されるまで、原稿セットの読み取り及びファイル化の処理が継続されることになる。
【００７９】
上述したように、本処理例では、原稿サイズ毎にファイル化を行い、最後に全ファイルが添付された１通の電子メールが送信される。例えばＡ４サイズの原稿３枚でなる原稿セットとＢ４サイズの原稿２枚でなる原稿セットの、合計２部（２セット）の原稿セットからなる原稿束を送信対象とする場合、これら２セットを１度に読み込ませるだけで、Ａ４サイズの３ページからなるファイルとＢ４サイズの２ページからなるファイルの合計２つのファイルが生成され、１通の電子メールに添付されて送信されることになる。
【００８０】
＜＜第３の処理例＞＞
本実施形態に係るＭＦＰ１ａにおける第３の処理例について説明する。本処理例では、添付対象となる複数のファイルのそれぞれに対応する複数の原稿セットでなる原稿束が、基本的に一度に原稿読取部１２で読み取られたものであり、且つ原稿用紙の載置方向を異ならせている点に特徴がある。以下、本処理例について説明するが、第１，第２の処理例と同様の点についてはその説明を省略する。
【００８１】
本処理例では、上記ユーザ指定は、連続する原稿セットで原稿用紙の載置方向（縦方向／横方向）を変えることによる指定である。そして、区切り認識部１３ａは、ＭＦＰ１ａが複数ファイル送信モードに設定されている場合、原稿読取部１２で原稿束を連続して読み取らせて画像データを取得させ、その画像データから載置方向の違いを検出し、載置方向の違いが生じた箇所をページ区切りと認識する。ページ分割部１３ｂは、区切り認識部１３ａで認識されたページ区切りに基づき、原稿読取部１２で原稿束の読み取りにより取得した画像データを分割して、原稿束に含まれる複数の原稿セットのそれぞれに対応するように複数のファイルを生成する。
【００８２】
本処理例を、Ｓｃａｎ  ｔｏ  Ｅ−ｍａｉｌ機能を使用した場合について、図９Ａ及び図９Ｂを併せて参照しながら説明する。図９Ａは図４に続く本処理例のフロー図で、図９Ｂは図９Ａに続くフロー図である。本処理例では、図４においてステップＳ３でＹＥＳの場合、図９Ａの処理が実行される。
【００８３】
まず、制御部１０は、ＡＤＦに原稿があるか否かを図示しない原稿検知センサからの検知結果に基づき判定し（ステップＳ６１）、ＹＥＳの場合、その原稿用紙の載置方向も検出する（ステップＳ６２）。ステップＳ６２は複数の原稿検知センサを適所に配置しておけば実現できる。次いで、制御部１０は、ＡＤＦで原稿を自動的に搬送しながら、原稿読取部１２に原稿読取処理を実行させる（ステップＳ６３）。
【００８４】
次いで、区切り認識部１３ａが１枚目の原稿であるか否かを判定し（ステップＳ６４）、ＹＥＳの場合、ステップＳ７０に進む。ステップＳ７０では、原稿読取部１２が、原稿検知センサからの検知結果に基づき、読み取りが全て終了したか否かを判定する。ステップＳ７０でＮＯの場合、ステップＳ６２に戻る。ステップＳ６４でＮＯの場合、区切り認識部１３ａが、方向変更がなされたか否かをステップＳ６２での検知結果に基づき判定し（ステップＳ６５）、そこでＮＯの場合にはステップＳ７０へ進む。
【００８５】
ステップＳ６５でＹＥＳの場合には、区切り認識部１３ａが現在の原稿セットの読み込みが終了したと判定する。そして、ページ分割部１３ｂが偶数ファイル（つまり偶数番目の原稿セットを読み取ったファイル）を作成するのか否かを判定する（ステップＳ６６）。ここでは、ステップＳ６５の判定結果から方向変更が奇数回生じた場合に、偶数ファイルを作成すると判定すればよい。
【００８６】
ステップＳ６６でＹＥＳの場合、ユーザが区切りを認識させることを目的として横置きにした原稿セットであるため、ページ分割部１３ｂが、１枚前までの未ファイル化原稿セットの画像データを９０度回転し（ステップＳ６７）、その後、その画像データから１つのファイル（ＰＤＦ等）を作成し（ステップＳ６８）、記憶する（ステップＳ６９）。ステップＳ６９の後は、ステップＳ７０に進む。
【００８７】
なお、最初の原稿セットが縦置きであることを前提に説明しているが、横置きであってもステップＳ６６や後述のステップＳ７１，Ｓ８２で奇数ファイル作成か否かを判定するように変更するなどすれば、対応可能である。また、最初を縦置きか横置きかのルール付けを行っていない場合にも、原稿サイズ検知結果を受けて最初の原稿セットの載置方向は判定し、その判定結果に基づき処理を変更させればよい。
【００８８】
ステップＳ７０でＹＥＳの場合、ページ分割部１３ｂがその時点で未ファイル化の画像データから１つのファイルを作成し（ステップＳ７３）、記憶する（ステップＳ７４）。但し、この場合にも、ステップＳ７３に先立ち、ステップＳ６６，Ｓ６７と同等の処理（ステップＳ７１，Ｓ７２）により、必要に応じて９０度回転が施される。
【００８９】
次いで、送信処理部１３が、ステップＳ２で設定された宛先の電子メールを１通作成し（ステップＳ７５）、その電子メールに記憶された全てのファイルを添付し（ステップＳ７６）、通信部１４を介してその電子メールの送信を行い（ステップＳ７７）、処理を終了する。なお、ステップＳ７６では、ステップＳ６５及び後述のステップＳ８１で１度もＹＥＳとなった場合を経なければ、複数ファイル送信モードであっても１つのファイルのみを添付して送信することになる。
【００９０】
なお、ステップＳ７０でＹＥＳの場合の直後に、図７ＡのＵＩ画像７０のような、読み取り終了か否か（次の原稿セットの読み込みを行う）を確認するためのＵＩ画像を表示させるようにしておけば、第１の処理例でのように複数回に分けてＡＤＦで読み取らせることができる。その場合、スタートキー６４の押下毎に１度で読み取らせる対象は、方向変更を伴う原稿セット群であっても、方向変更を伴わない１つの原稿セットであってもよい。
【００９１】
ステップＳ６１でＮＯの場合、原稿が原稿台に載置されていることになるため、ＡＤＦでの処理に代わり原稿台での処理がなされる。まず、制御部１０は、原稿台上の原稿の載置方向を検出し（ステップＳ７８）、その原稿を原稿読取部１２に読み取らせる（ステップＳ７９）。
【００９２】
次いで、ステップＳ６４〜Ｓ６９と同様の処理（但し、読み込みは原稿台上）が実行される（ステップＳ７８〜Ｓ８５）。ステップＳ８０でＹＥＳの場合、ステップＳ８１でＮＯの場合、並びにステップＳ８５の後は、図７ＡのＵＩ画像７０を表示させる（ステップＳ８６）。制御部１０は、読み取り終了キー７１が選択されたか否かを判定し（ステップＳ８７）、ＮＯの場合にはスタートキー６４が選択された否かを判定する（ステップＳ８８）。ステップＳ８８でＮＯの場合には、ステップＳ８７に戻る。なお、ここでは一度の読み取りを前提としており、原稿台からの読み取りについては、読み取り終了キー７１の選択までの一連の読み取りを一度の読み取りと見做して説明している。
【００９３】
ステップＳ８８でＹＥＳの場合には、ユーザが原稿台に次の原稿を載置してスタートキー６４を押したことになり、制御部１０は、ステップＳ７８に戻り、その原稿について同様の方向検出及び原稿読取処理を実行する。ステップＳ８７でＹＥＳの場合、全原稿セットからなる原稿束の読み取りが終了しているため、ステップＳ７１に進めばよい。
【００９４】
このように、原稿台からの読取処理については、載置方向の変更が検出されるまで、その原稿セットの原稿読取処理がスタートキー６４の押下により継続され、載置方向変更がなされた段階でファイル化後、次の原稿セットの読み取り及びファイル化の処理が実行される。そして、読み取り終了キー７１が押下されるまで、原稿セットの読み取り及びファイル化の処理が継続されることになる。
【００９５】
上述したように、本処理例では、載置方向毎にファイル化を行い、最後に全ファイルが添付された１通の電子メールが送信される。例えばＡ４サイズの原稿を３枚と５枚とで章分けしたい場合、その境目で載置方向を変え、Ａ４サイズの原稿３枚でなる原稿セットとＡ４Ｒサイズの原稿（Ａ４サイズの横置き原稿）５枚でなる原稿セットの、合計２部（２セット）の原稿セットからなる原稿束を送信対象とし、これら２セットを縦横そのままで１度に読み込ませるだけでよい。これにより、Ａ４サイズの３ページからなるファイルとＡ４サイズの５ページからなるファイルの合計２つのファイルが生成され、１通の電子メールに添付されて送信されることになる。
【００９６】
＜＜第４の処理例＞＞
本実施形態に係るＭＦＰ１ａにおける第４の処理例について説明する。本処理例では、添付対象となる複数のファイルのそれぞれに対応する複数の原稿セットでなる原稿束が、基本的に一度に原稿読取部１２で読み取られたものであり、且つ原稿セットのセット数と各原稿セットのページ数がユーザ入力されている点に特徴がある。以下、本処理例について説明するが、第１〜第３の処理例と同様の点についてはその説明を省略する。
【００９７】
本処理例におけるＭＦＰ１ａは、ＭＦＰ１ａが複数ファイル送信モードに設定されている場合、原稿束に含まれる原稿セットのセット数と各原稿セットのページ数とをユーザに入力させるためのＵＩ画像（便宜上、第２ＵＩ画像と呼ぶ）を表示する表示部を備える。この表示部は、タッチパネル部１１ｂにおける表示部で例示できる。そして、本処理例における上記ユーザ指定は、第２ＵＩ画像を表示した状態で、上記セット数と上記ページ数とを入力することによる指定であり、区切り認識部１３ａはそのユーザ指定された区切りを認識する。ページ分割部１３ｂは、区切り認識部１３ａで認識されたページ区切りに基づき、原稿読取部１２で原稿束の読み取りにより取得した画像データを分割して、原稿束に含まれる複数の原稿セットのそれぞれに対応するように複数のファイルを生成する。
【００９８】
本処理例を、Ｓｃａｎ  ｔｏ  Ｅ−ｍａｉｌ機能を使用した場合について、図１０Ａ〜図１１Ｂを併せて参照しながら説明する。図１０Ａは図３のＭＦＰにおいてＳｃａｎ  ｔｏ  Ｅ−ｍａｉｌ機能で実行される第４の処理例を説明するためのフロー図、図１０Ｂは図１０Ａに続くフロー図、図１０Ｃは図１０Ｂに続くフロー図である。また、図１１Ａは図６ＢのＵＩ画像において複数ファイル送信キーが選択された場合に表示させるＵＩ画像の一例を示す図で、図１１Ｂは図１１Ａとは異なる入力例を示す図である。
【００９９】
まず、図４のステップＳ１〜Ｓ７と同様の処理が実行される（ステップＳ９１〜Ｓ９７）。ステップＳ９３でＮＯの場合、設定部１０ａは、枚数設定キーが選択されたか否かを判定する（ステップＳ９８）。
【０１００】
枚数設定キーとは、例えば、図６ＢのＵＩ画像６７において複数ファイル送信キー６８を選択した場合に表示されるＵＩ画像に含まれるキーや、複数ファイル送信キー６８自体であってもよい。これに限らず、何らかの操作により、各原稿セットの枚数が設定可能なＵＩ画像（図１１ＡのＵＩ画像１１０等）が表示できればよい。
【０１０１】
ここでは、上記枚数設定キーが複数ファイル送信キー６８自体である例について説明する。複数ファイル送信キー６８がユーザによって選択された場合（ステップＳ９８でＹＥＳの場合）、設定部１０ａがＭＦＰ１ａを複数ファイル送信モードに設定すると共に、ＵＩ画像１１０を表示させる。
【０１０２】
ＵＩ画像１１０には、セット数入力欄１１１と枚数入力欄１１２が表示されると共に、ＯＫキー１１４も表示されている。セット数入力欄１１１は、セット数（部数）のユーザ入力を受け付ける欄であり、セット数として入力された数値の数だけ、枚数入力欄１１２が入力可能な状態となる。この例では、セット数として「３」が入力され、その結果として、枚数入力欄１１２のうち第１〜第３セット用が入力可能となっている。その他、ＵＩ画像１１０には、定型文が記載された表紙（送り状）を添付するか否かを設定するためのチェックボックス１１３も表示されている。なお、上記定型文には、通常、アドレス帳から読み込ませた宛先の宛名などのデータが含まれている。
【０１０３】
ユーザによりＯＫキー１１４が選択されることで、設定部１０ａは、ＵＩ画像１１０から入力された情報に従い、区切り枚数の設定、すなわちセット数や枚数の設定が完了する（ステップＳ１０１）。また、チェックボックス１１３の選択により表紙が選択された場合には、表紙を１つの原稿セットと換算するため、図１１ＢのＵＩ画像１１５で例示するように部数（セット数）の入力が無くてもよい。
【０１０４】
ステップＳ９８でＮＯの場合、制御部１０はキャンセルキー（リセットキー６５）が選択されたか否かを判定する（ステップＳ９９）。制御部１０は、ステップＳ９９でＮＯの場合、並びにステップＳ１０１の後、ステップＳ９３に戻ってスタートキー６４の押下を待ち、ステップＳ９９でＹＥＳの場合、宛先設定をクリアし（ステップＳ１００）、ステップＳ９２に戻る。
【０１０５】
ステップＳ９３でＹＥＳの場合、図１０Ｂ及び図１０Ｃの処理に進む。まず、区切り認識部１３ａが、設定内容から表紙設定の有無を判定する（ステップＳ１０２）。表紙設定が有りの場合（ＹＥＳの場合）、区切り認識部１３ａが、変数Ｔを０にし（ステップＳ１０３）、テーブル０に１を設定する（ステップＳ１０４）。ここで、変数Ｔは、テーブルの番号を表す変数であり、テーブルとは、原稿セットの枚数として設定された値の格納領域である。ステップＳ１０４では表紙に１枚設定されている。
【０１０６】
ステップＳ１０４の後、区切り認識部１３ａが、設定内容からそのテーブル０について枚数設定がなされているか否かを判定し（ステップＳ１０５）、ＮＯの場合、表紙以外の原稿セットは１つであるため、テーブル１に０を設定する（ステップＳ１０６）。ステップＳ１０２でＮＯの場合（表紙無しの場合）には、変数Ｔを１にする（ステップＳ１１８）。ステップＳ１０６の後、ステップＳ１１８の後、並びにステップＳ１０５でＹＥＳの場合には、区切り認識部１３ａが変数Ｍを０に初期化する（ステップＳ１０７）。ここで、変数Ｍは、読み取った枚数のカウント値である。
【０１０７】
ステップＳ１０７の後、制御部１０は、ＡＤＦに原稿があるか否かを図示しない原稿検知センサからの検知結果に基づき判定し（ステップＳ１０８）、ＹＥＳの場合、ＡＤＦで原稿を自動的に搬送しながら、原稿読取部１２に原稿読取処理を実行させる（ステップＳ１０９）。
【０１０８】
次いで、区切り認識部１３ａが変数Ｍをインクリメントし（ステップＳ１１０）、テーブルＴの値が０であるか否かを判定し（ステップＳ１１１）、ＮＯであればテーブルＴの値がＭであるか否かを判定する（ステップＳ１１２）。ステップＳ１１２でＹＥＳの場合、その原稿セットが設定枚数に達したことを意味するため、ページ分割部１３ｂがその時点で未ファイル化の画像データから１つのファイルを作成し（ステップＳ１１３）、記憶する（ステップＳ１１４）。その後、区切り認識部１３ａが、次のテーブルの処理（次の原稿セットの処理）に移るために、変数Ｔをインクリメントし（ステップＳ１１５）、変数Ｍを０に初期化する（ステップＳ１１６）。
【０１０９】
ステップＳ１１６の後、ステップＳ１１１でＹＥＳの場合、並びにステップＳ１１２でＮＯの場合、ステップＳ１１７に進む。ステップＳ１１７では、原稿読取部１２が、原稿検知センサからの検知結果に基づき、読み取りが全て終了したか否かを判定し、ＮＯの場合、ステップＳ１０９に戻る。
【０１１０】
ステップＳ１１７でＹＥＳの場合、ページ分割部１３ｂがその時点で未ファイル化の画像データが存在するか否かを判定し（ステップＳ１２９）、ＹＥＳの場合には、その画像データから１つのファイルを作成し（ステップＳ１３０）、記憶する（ステップＳ１３１）。表紙有りで且つ原稿セットの枚数設定無しの場合には、ステップ１２９でＹＥＳとなる。
【０１１１】
ステップＳ１３１の後、並びにステップＳ１２９でＮＯの場合、送信処理部１３が、ステップＳ９２で設定された宛先の電子メールを１通作成し（ステップＳ１３２）、その電子メールに記憶された全てのファイルを添付し（ステップＳ１３３）、通信部１４を介してその電子メールの送信を行い（ステップＳ１３４）、処理を終了する。なお、ステップＳ１３３では、ステップＳ１０２でＮＯの場合で且つステップＳ１１４での記憶処理後、一度もステップＳ１１７でＮＯとならなかった場合などには、複数ファイル送信モードであっても１つのファイルのみを添付して送信することになる。
【０１１２】
なお、ステップＳ１１７でＹＥＳの場合の直後に、図７ＡのＵＩ画像７０のような、読み取り終了か否か（次の原稿セットの読み込みを行う）を確認するためのＵＩ画像を表示させるようにしておけば、第１の処理例でのように複数回に分けてＡＤＦで読み取らせることができる。
【０１１３】
ステップＳ１０８でＮＯの場合、原稿が原稿台に載置されていることになるため、ＡＤＦでの処理に代わり原稿台での処理がなされる。まず、制御部１０は、原稿台上の原稿を原稿読取部１２に読み取らせる（ステップＳ１１９）。
【０１１４】
次いで、ステップＳ１１０〜Ｓ１１６と同様の処理（但し、読み込みは原稿台上）が実行される（ステップＳ１２０〜Ｓ１２６）。ステップＳ１２６の後、ステップＳ１２１でＹＥＳの場合、並びにステップＳ１２２でＮＯの場合、図７ＡのＵＩ画像７０を表示させる（ステップＳ１２７）。制御部１０は、読み取り終了キー７１が選択されたか否かを判定し（ステップＳ１２８）、ＮＯの場合にはスタートキー６４が選択された否かを判定する（ステップＳ１３５）。ステップＳ１３５でＮＯの場合には、ステップＳ１２８に戻る。なお、ここでは一度の読み取りを前提としており、原稿台からの読み取りについては、読み取り終了キー７１の選択までの一連の読み取りを一度の読み取りと見做して説明している。
【０１１５】
ステップＳ１３５でＹＥＳの場合には、ユーザが原稿台に次の原稿を載置してスタートキー６４を押したことになり、制御部１０は、ステップＳ１１９に戻り、その原稿について同様の原稿読取処理を実行する。ステップＳ１２８でＹＥＳの場合、全原稿セットからなる原稿束の読み取りが終了しているため、ステップＳ１２９に進めばよい。
【０１１６】
このように、原稿台からの読取処理については、設定内容が示す区切りとなるまで、その原稿セットの原稿読取処理がスタートキー６４の押下により継続され、区切りが過ぎた段階でファイル化後、次の原稿セットの読み取り及びファイル化の処理が実行される。そして、読み取り終了キー７１が押下されるまで、原稿セットの読み取り及びファイル化の処理が継続されることになる。
【０１１７】
上述したように、本処理例では、設定内容に従い原稿セット毎にファイル化を行い、最後に全ファイルが添付された１通の電子メールが送信される。図１１ＡのＵＩ画像１１０で示す設定例で説明すると、原稿２枚でなる原稿セットと原稿３枚でなる原稿セットと原稿２枚でなる原稿セットの、合計３部（３セット）の原稿セットからなる原稿束を送信対象とする場合、これら３セットをそのままで１度に（原稿台の場合には一枚ずつ載置して）読み込ませるだけで、各原稿セットに対応する合計３つのファイルが生成され、１通の電子メールに添付されて送信されることになる。表紙が添付される場合には、表紙分の原稿セットに対応するファイルが１つさらに添付されることになる。
【０１１８】
なお、設定したセット数や各セットの枚数に対して、実際の原稿読取結果の枚数が合致しない場合には、処理自体を中止してその旨をユーザに知らせるか、若しくは、変更要請メッセージを出すなどし、ユーザに原稿を追加させるか設定内容を変更させるかすればよい。
【０１１９】
＜＜第５の処理例＞＞
本実施形態に係るＭＦＰ１ａにおける第５の処理例について説明する。本処理例では、添付対象となる複数のファイルのそれぞれに対応する複数の原稿セットでなる原稿束が、基本的に一度に原稿読取部１２で読み取られたものであり、且つ原稿用紙の間に色紙を挿入している点に特徴がある。以下、本処理例について説明するが、第１〜第４の処理例と同様の点についてはその説明を省略する。
【０１２０】
本処理例では、上記ユーザ指定は、原稿セット間に別途、所定色の用紙（何も印字されていない用紙）を挟む（挿入する）ことによる指定である。そして、区切り認識部１３ａは、ＭＦＰ１ａが複数ファイル送信モードに設定されている場合、原稿読取部１２で原稿束を連続して読み取らせて画像データを取得させ、その画像データから上記所定色の用紙を検出し、上記所定色の用紙の位置をページ区切りと認識する。ページ分割部１３ｂは、区切り認識部１３ａで認識されたページ区切りに基づき、原稿読取部１２で原稿束の読み取りにより取得した画像データを分割して、原稿束に含まれる複数の原稿セットのそれぞれに対応するように複数のファイルを生成する。但し、読み取った画像データのうち、上記所定色の用紙の画像データは消去する。
【０１２１】
本処理例を、Ｓｃａｎ  ｔｏ  Ｅ−ｍａｉｌ機能を使用した場合について、図１２を併せて参照しながら説明する。図１２は図４に続く本処理例のフロー図である。本処理例では、図４においてステップＳ３でＹＥＳの場合、図１２の処理が実行される。
【０１２２】
まず、制御部１０は、ＡＤＦに原稿があるか否かを図示しない原稿検知センサからの検知結果に基づき判定し（ステップＳ１４１）、ＹＥＳの場合、ＡＤＦで原稿を自動的に搬送しながら、原稿読取部１２に原稿読取処理を実行させる（ステップＳ１４２）。
【０１２３】
次いで、区切り認識部１３ａが１枚目の原稿であるか否かを判定し（ステップＳ１４３）、ＹＥＳの場合、ステップＳ１４７に進む。ステップＳ１４７では、原稿読取部１２が、原稿検知センサからの検知結果に基づき、読み取りが全て終了したか否かを判定する。ステップＳ１４７でＮＯの場合、ステップＳ１４２に戻る。ステップＳ１４３でＮＯの場合、区切り認識部１３ａが、読み取られた画像データの色をそのページにわたって検出し、その結果に基づきそのページ全てで予め定めた所定色であるか否かを判定し（ステップＳ１４４）、ＮＯの場合にはステップＳ１４７へ進む。
【０１２４】
ステップＳ１４４でＹＥＳの場合には、区切り認識部１３ａが現在の原稿セットの読み込みが終了したと判定する。そして、ページ分割部１３ｂが１枚前までの未ファイル化原稿セットの画像データから１つのファイル（ＰＤＦ等）を作成し（ステップＳ１４５）、記憶する（ステップＳ１４６）。但し、ステップＳ１４６の段階又はステップＳ１４５の段階で、ステップＳ１４４でＹＥＳと判定した元となった所定色の用紙の画像データは消去しておく。ステップＳ１４６の後は、ステップＳ１４７に進む。
【０１２５】
ステップＳ１４７でＹＥＳの場合、ページ分割部１３ｂがその時点で未ファイル化の画像データから１つのファイルを作成し（ステップＳ１４８）、記憶する（ステップＳ１４９）。なお、原稿束の最初と最後の一枚に所定色を入れないことを前提として説明しているが、最初及び／又は最後にも入れる場合にも、同様の考え方で処理フローを変更すれば説明できる。
【０１２６】
次いで、送信処理部１３が、ステップＳ２で設定された宛先の電子メールを１通作成し（ステップＳ１５０）、その電子メールに記憶された全てのファイルを添付し（ステップＳ１５１）、通信部１４を介してその電子メールの送信を行い（ステップＳ１５２）、処理を終了する。なお、ステップＳ１５１では、ステップＳ１４４及び後述のステップＳ１５５で１度もＹＥＳとなった場合を経なければ、複数ファイル送信モードであっても１つのファイルのみを添付して送信することになる。
【０１２７】
なお、ステップＳ１４７でＹＥＳの場合の直後に、図７ＡのＵＩ画像７０のような、読み取り終了か否か（次の原稿セットの読み込みを行う）を確認するためのＵＩ画像を表示させるようにしておけば、第１の処理例でのように複数回に分けてＡＤＦで読み取らせることができる。その場合、スタートキー６４の押下毎に１度で読み取らせる対象は、所定色の用紙を少なくとも最後に含ませておけばよい。
【０１２８】
ステップＳ１４１でＮＯの場合、原稿が原稿台に載置されていることになるため、ＡＤＦでの処理に代わり原稿台での処理がなされる。まず、制御部１０は、原稿台上の原稿を原稿読取部１２に読み取らせる（ステップＳ１５３）。
【０１２９】
次いで、ステップＳ１４３〜Ｓ１４６と同様の処理（但し、読み込みは原稿台上）が実行される（ステップＳ１５４〜Ｓ１５７）。ステップＳ１５４でＹＥＳの場合、ステップＳ１５５でＮＯの場合、並びにステップＳ１５７の後は、図７ＡのＵＩ画像７０を表示させる（ステップＳ１５８）。制御部１０は、読み取り終了キー７１が選択されたか否かを判定し（ステップＳ１５９）、ＮＯの場合にはスタートキー６４が選択された否かを判定する（ステップＳ１６０）。ステップＳ１６０でＮＯの場合には、ステップＳ１５９に戻る。なお、ここでは一度の読み取りを前提としており、原稿台からの読み取りについては、読み取り終了キー７１の選択までの一連の読み取りを一度の読み取りと見做して説明している。
【０１３０】
ステップＳ１６０でＹＥＳの場合には、ユーザが原稿台に次の原稿を載置してスタートキー６４を押したことになり、制御部１０は、ステップＳ１５３に戻り、その原稿について同様の方向検出及び原稿読取処理を実行する。ステップＳ１５９でＹＥＳの場合、全原稿セットからなる原稿束の読み取りが終了しているため、ステップＳ１４８に進めばよい。
【０１３１】
このように、原稿台からの読取処理については、所定色の用紙が検出されるまで、その原稿セットの原稿読取処理がスタートキー６４の押下により継続され、所定色の用紙が検出なされた段階でファイル化後、次の原稿セットの読み取り及びファイル化の処理が実行される。そして、読み取り終了キー７１が押下されるまで、原稿セットの読み取り及びファイル化の処理が継続されることになる。
【０１３２】
上述したように、本処理例では、原稿セット毎にファイル化を行い、最後に全ファイルが添付された１通の電子メールが送信される。例えば、原稿２枚でなる原稿セットと原稿３枚でなる原稿セットと原稿２枚でなる原稿セットの、合計３部（３セット）の原稿セットからなる原稿束を送信対象とする場合、これらの原稿セット間の合計２箇所に所定色（例えばピンクや黄）の用紙を挟んだ状態で、３セットをそのままで１度に（原稿台の場合には一枚ずつ載置して）読み込ませるだけで、各原稿セットに対応する合計３つのファイルが生成され、１通の電子メールに添付されて送信されることになる。
【０１３３】
＜第３の実施形態＞
本発明の第３の実施形態について、図１３〜図１５を参照しながら説明する。図１３は本実施形態に係るＭＦＰの一構成例を示すブロック図、図１４は図１３のＭＦＰにおいてインターネットＦＡＸ機能で実行される処理例を説明するためのフロー図、図１５は図１３のＭＦＰにおいて図１４の処理で表示されるＵＩ画像の一例を示す図である。
【０１３４】
本発明の第３の実施形態に係るＭＦＰは、第１の実施形態において、添付対象となる複数のファイルのそれぞれに対応する複数の原稿セットの少なくとも１つが、原稿読取部１２で別の時期に読み取られ送信予約されたものである点に特化したものである。以下、本実施形態について説明するが、第１，第２の実施形態と同様の点についてはその説明を省略する。
【０１３５】
図１３で例示するように、本実施形態に係るＭＦＰ１ｂは、図１のＭＦＰ１における制御部１０が設定部１０ａだけでなく予約設定部１０ｂを有している。予約設定部１０ｂは制御部１０外に設けてもよい。予約設定部１０ｂは、原稿読取部１２での読み取りにより得た１又は複数のファイルについて、送信処理部１３及び通信部１４にて電子メールに添付して送信する送信処理を実行する日時を予約設定する。この予約設定は、操作部１１或いは別途接続された外部ＰＣからのユーザ操作により行えばよい。予約設定部１０ｂで予約設定されたファイルについては、ＭＦＰ１ｂに設けた記憶部１５に記憶させておけばよい。
【０１３６】
そして、送信処理部１３は、ＭＦＰ１ｂが複数ファイル送信モードに設定されている場合で、上記送信処理の対象となるファイルである送信予約ファイルの宛先と同じ宛先に、原稿読取部１２での読み取りにより得た他のファイルを送信する場合、上記送信予約ファイルと上記他のファイルを１通の電子メールに添付して送信する。
【０１３７】
従って、本実施形態では、現在読み込んだ１又は複数のファイルと予約した１又は複数のファイルとで少なくとも２ファイル以上が１通の電子メールに添付されることになる。また、予約対象、非予約対象（予約していない読み取り対象）のいずれの原稿セットについても、第１，第２の実施形態での処理によりそのファイルを取得したものであってもよい。
【０１３８】
また、本実施形態では、送信処理部１３での上記１通の電子メールの送信についても予約できること、換言すれば上記他のファイルについても送信予約できることが好ましい。つまり、最終的には送信処理部１３が上記送信予約ファイルと上記他のファイルを１通の電子メールに添付して送信することになるが、予約設定部１０ｂにおいて上記１通の電子メールの送信日時を設定できるようにすることが好ましい。
【０１３９】
この送信日時は、上記他のファイルを読み込む時点でユーザが指定してよいし、上記送信予約ファイルを送信する予定であった日時であってもよい。但し、上記他のファイルについてユーザが予約設定した場合には、上記送信予約ファイルと２つ以上の日時が存在してしまうことが想定されるため、複数のうち最も早い日時になるように自動設定することが好ましい。
【０１４０】
次に、このような処理例について、図１４を併せて参照しながら説明する。
まず、例えば、図示しない予約設定キーを含むＵＩ画像を表示させ、宛先の入力と予約設定キーの押下を受け付け可能にしておく。この状態で、予約設定部１０ｂを含む制御部１０が、予約設定キーの押下と共に宛先の入力を受け付けたか否かにより、Ｅ−ｍａｉｌ機能やインターネットＦＡＸ機能で送信予約の設定がなされたか否かを判定する（ステップＳ１７１）。ステップＳ１７１でＹＥＳとなった段階ではじめて、原稿読取部１２がＡＤＦ又は原稿台からの原稿読取処理を実行し（ステップＳ１７２）、原稿読取処理が完了した時点で予約が完了する（ステップＳ１７３）。
【０１４１】
次いで、予約設定部１０ｂが記憶部１５内に既存の送信予約ファイル（予約ジョブ）が存在するか否かを判定し（ステップＳ１７４）、ＹＥＳの場合にはその予約ジョブがステップＳ１７２で読み込んだファイルの宛先と同じ宛先であるか否かを判定する（ステップＳ１７５）。
【０１４２】
ステップＳ１７５でＹＥＳの場合、予約設定部１０ｂは図１５のＵＩ画像１５０で例示する問合せ用ＵＩ画像を表示させ、同じ宛先のファイルを１つのジョブとして同時に一通の電子メールで送信するか否かを問い合わせる（ステップＳ１７６）。ＵＩ画像１５０には、同時送信する場合に選択する「はい」キー１５１と同時送信しない場合に選択する「いいえ」キー１５２が表示されている。
【０１４３】
ユーザが「はい」キー１５１を選んでステップＳ１７６がＹＥＳとなった場合、予約設定部１０ｂが同じ宛先へのファイルを一番早い時刻に送信する電子メールに全て添付することで、１ジョブ化を行う（ステップＳ１７７）。そして、送信処理部１３又は予約設定部１０ｂがそのジョブの予約開始時刻（日時）が到来したか否かを判定し（ステップＳ１７８）、ＹＥＳとなってはじめて送信処理部１３がそのジョブの送信、つまり同じ宛先のファイルが全て添付された電子メールを送信する（ステップＳ１７９）。
【０１４４】
一方、ステップＳ１７４，Ｓ１７５，Ｓ１７６のいずれかでＮＯとなった場合には、ステップＳ１７７を経ずにステップＳ１７８へ進む。なお、複数ファイル送信モードに設定されていることを前提としているため、ステップＳ１７６の問合せ及び判定処理は行わなくてもよく、またステップＳ１７６の問合せを常に行うようにしておき、「はい」キー１５１が選択された時点で複数ファイル送信モードに設定するようにしてもよい。
【０１４５】
一例として、既存の予約ジョブとして、１０：５０送信予定のａａａ＠ｔｅｓｔ宛のジョブと１１：００送信予定のｂｂｂ＠ｔｅｓｔ宛のジョブとが存在した場合で、且つ、ステップＳ１７１において１１：１０送信予定でａａａ＠ｔｅｓｔ宛の送信予約（予約Ｙと呼ぶ）を設定した場合について説明する。この場合、その原稿を読み込んだ後、予約Ｙの登録を正式に完了（登録）させる前に、同じ宛先の予約ジョブが無いか検索すると、既存のジョブのうち同じ宛先のジョブが１つ存在する。
【０１４６】
よって、ユーザが「はい」キー１５１を選んでステップＳ１７６がＹＥＳとなった場合、予約Ｙのジョブを削除すると共に、１ジョブ化された１０：５０送信予定のａａａ＠ｔｅｓｔ宛のジョブ（既存のファイルと今回読み込んだファイルが添付）と、元々の１１：００送信予定のｂｂｂ＠ｔｅｓｔ宛のジョブとが残り、それぞれが予約開始時刻になればインターネットＦＡＸ送信される。一方、ユーザが「いいえ」キー１５２を選んでステップＳ１７６がＮＯとなった場合、予約Ｙのジョブ（既存のファイルが添付）と、元々の１１：００送信予定のｂｂｂ＠ｔｅｓｔ宛のジョブと、１１：１０送信予定のａａａ＠ｔｅｓｔ宛のジョブ（今回読み込んだファイルが添付）とが残り、それぞれが予約開始時刻になればインターネットＦＡＸ送信される。
【０１４７】
なお、上記送信予約ファイル（同じ宛先）が元々複数蓄積されている場合についても同様であるが、この場合には上記他のファイルについてユーザが予約設定しなくても自動的に複数のうち最も早い日時になるように自動設定してもよいし、上記他のファイルの読み込み等が終了した時点で即時送信するようにしてもよい。
【０１４８】
＜第１〜第３の実施形態に共通する構成例＞
以上の各実施形態では、送信対象となった複数ファイルを１通の電子メールに添付して送信するものとして説明したが、本発明に係るＭＦＰはこのような処理が可能であればよい。従って、例えばカーボンコピーでの送信やグループメール送信などの送信方法を採用し、多数の宛先に上記複数ファイルを添付した電子メールを送信するように構成することもできる。また、複数ファイル送信モードへの設定は、上述した例に限らず、どのような表示画面から実行できるようにしておいてもよい。
【０１４９】
また、図１，図３，図１３で例示したＭＦＰにおける制御部１０について集積回路／ＩＣチップセットとして搭載することもできることを説明したが、送信処理部１３についても同様である。つまり、制御部１０や送信処理部１３は、例えばマイクロプロセッサ（又はＤＳＰ：Digital Signal Processor）、メモリ、バス、インターフェース等の周辺装置などのハードウェアと、これらのハードウェア上にて実行可能なソフトウェア（上述した制御プログラム）とにより実現できる。上記ハードウェアの一部は集積回路／ＩＣチップセットとして搭載することができ、その場合、上記ソフトウェアはこのメモリに記憶しておければよい。また、本発明の各構成要素の全てをハードウェアで構成してもよく、その場合についても同様に、そのハードウェアの一部を集積回路／ＩＣチップセットとして搭載することも可能である。
【０１５０】
また、上述した様々な実施形態における機能を実現するためのソフトウェアのプログラムコードを記録した記録媒体（非一時的な記録媒体）をＭＦＰに供給し、ＭＦＰ内のマイクロプロセッサ又はＤＳＰ等のコンピュータによりプログラムコードが実行されることによっても、本発明の目的が達成される。つまり、本発明は、プログラムコードやそれを記録したコンピュータ読み取り可能な記録媒体としての形態を採用することができる。この記録媒体としては、例えばＣＤ−ＲＯＭ又はＤＶＤ−ＲＯＭなどの光ディスクやメモリカード等の不揮発性の半導体メモリや、ハードディスクなど様々なものが挙げられる。また、プログラムコードはインターネットからダウンロードして実行することや、放送波から受信して実行することもできる。
【０１５１】
また、以上では、本発明に係るＭＦＰについて説明したが、その処理の手順を説明したように、本発明は、原稿読取部と電子メールを送信する送信部とを備えたＭＦＰにおけるファイル送信方法としての形態も採り得る。このファイル送信方法は、ＭＦＰの設定部が、ユーザ操作に基づきＭＦＰを所定の送信モードに設定するステップと、ＭＦＰが上記所定の送信モードに設定されている場合、上記送信部が、ページ数が個々に異なることを許容して用意された複数の原稿セットについて上記原稿読取部での読み取りが実行されることにより得た、上記複数の原稿セットのそれぞれに対応する複数のファイルを、１通の電子メールに添付して送信するステップと、を有する。その他の応用例については、ＭＦＰについて説明した通りであり、その説明を省略する。
【０１５２】
なお、上記プログラムコード自体は、換言すると、このファイル送信方法でのファイル送信処理を、原稿読取部と電子メールを送信する送信部とを備えたＭＦＰの制御部のコンピュータに実行させるためのプログラムである。ここで、上記ファイル送信処理は、ユーザ操作に基づきＭＦＰを所定の送信モードに設定するステップと、ＭＦＰが上記所定の送信モードに設定されている場合、ページ数が個々に異なることを許容して用意された複数の原稿セットについて上記原稿読取部での読み取りが実行されることにより得た、上記複数の原稿セットのそれぞれに対応する複数のファイルを、１通の電子メールに添付して送信するステップと、を有する。その他の応用例については、ＭＦＰについて説明した通りであり、その説明を省略する。
【符号の説明】
【０１５３】
１，１ａ，１ｂ…ＭＦＰ、１０…制御部、１０ａ…設定部、１０ｂ…予約設定部、１１…操作部、１１ａ…キー操作部、１１ｂ…タッチパネル部、１１ｃ…ホーム移行キー、１２…原稿読取部、１３…送信処理部、１３ａ…区切り認識部、１３ｂ…ページ分割部、１４…通信部、１５…記憶部。
【図１】
2015201710.tif 000003
【図２】
2015201710.tif 000004
【図３】
2015201710.tif 000005
【図４】
2015201710.tif 000006
【図５Ａ】
2015201710.tif 000007
【図５Ｂ】
2015201710.tif 000008
【図６Ａ】
2015201710.tif 000009
【図６Ｂ】
2015201710.tif 000010
【図７Ａ】
2015201710.tif 000011
【図７Ｂ】
2015201710.tif 000012
【図８】
2015201710.tif 000013
【図９Ａ】
2015201710.tif 000014
【図９Ｂ】
2015201710.tif 000015
【図１０Ａ】
2015201710.tif 000016
【図１０Ｂ】
2015201710.tif 000017
【図１０Ｃ】
2015201710.tif 000018
【図１１Ａ】
2015201710.tif 000019
【図１１Ｂ】
2015201710.tif 000020
【図１２】
2015201710.tif 000021
【図１３】
2015201710.tif 000022
【図１４】
2015201710.tif 000023
【図１５】
2015201710.tif 000024